(57)【要約】【課題】時計の外観デザインや表示視認性を妨げない耐磁手段を採用することにより、耐磁性能と外観性能とを両立することのできる時計を提供する。【解決手段】本発明の時計１００は、時計ケース１０１〜１０４の内部の前面側に表示板１０６〜１０８が配置され、表示板１０６〜１０８の背面側に計時手段１０５が配置されてなる時計において、表示板１０６〜１０８の外周部の外側、若しくは、該外周部の外側位置の前面側に、耐磁リング１１１が配置されていることを特徴とする。【選択図】          図１
2004286661.tif 000002
【特許請求の範囲】
【請求項１】
時計ケースの内部の前面側に表示板が配置され、該表示板の背面側に計時手段が配置されてなる時計において、
前記表示板の外周部の外側、若しくは、該外周部の外側位置の前面側に、耐磁リングが配置されていることを特徴とする時計。
【請求項２】
前記時計ケースは、前面側に配置された第１ケース部材と、該第１ケース部材に対して背面側に隣接する第２ケース部材とを有し、前記耐磁リングは前記第１ケース部材と前記第２ケース部材との間に配置されていることを特徴とする請求項１に記載の時計。
【請求項３】
前記耐磁リングの厚さと径方向の幅の比が０．６以上２．５以下であることを特徴とする請求項１又は２に記載の時計。
【請求項４】
前記耐磁リングは、前記表示板の見切りの外側に配置されていることを特徴とする請求項１乃至３のいずれか一項に記載の時計。
【請求項５】
前記耐磁リングは、前記表示板の見切りを構成していることを特徴とする請求項１乃至３のいずれか一項に記載の時計。
【請求項６】
前記計時手段の背面側に耐磁板が配置されていることを特徴とする請求項１乃至５のいずれか一項に記載の時計。
【発明の詳細な説明】
【０００１】
【発明の属する技術分野】
本発明は時計に係り、特に、耐磁性能を有する腕時計の構造として好適な時計構造に関する。
【０００２】
【従来の技術】
一般に、自己発電機能付クオーツ時計は、外部磁界の影響によって時計の駆動源となる駆動モータ（ステッピングモータ）のロータが回転しなくなる現象の発生を防止するために、文字盤とムーブメントとの間、並びに、ムーブメントと裏蓋との間にそれぞれ耐磁板を挟みこむことにより、外部磁界の影響を低減するようにしている。この構造によって、たとえば、時計の耐磁性能のＪＩＳ規格である１種耐磁時計に対する規定値である直流磁界４８００Ａ／ｍ（外部磁界６０Ｇ）の中でも正常に駆動するように構成されている。従来の耐磁性能を有する時計の構造としては、以下の特許文献１〜３に記載された構造が知られている。
【０００３】
【特許文献１】
特公昭５０−２８１９５号公報
【特許文献２】
実開昭５３−１１４２６４号公報
【特許文献３】
実開平２−１３３６９７号公報
【０００４】
【発明が解決しようとする課題】
しかしながら、上記従来の時計においては、文字盤とムーブメントとの間に配置される耐磁板の存在によって、ムーブメントに取り付ける指針の高さを耐磁板の厚さ分だけ高く設計しなければならず、部品寸法を変更する必要が生ずる。また、文字盤とムーブメントとの間、並びに、ムーブメントと裏蓋との間に耐磁板を配置することによって時計の厚さが厚くなるため、デザイン構成上不利である。
【０００５】
また、上記特許文献３の構造では、見返しリングによって耐磁板を押圧固定する構造とすることにより、見切り径（文字盤が見える範囲）が狭くなるという問題点がある。
【０００６】
さらに、裏蓋を、上記耐磁板ほどではないが、比較的透磁率の高い材料で構成することによって耐磁性能をさらに向上させる場合もあるが、ムーブメントと裏蓋との間に耐磁板を配置することによって、時計の厚さが増大するとともに、駆動モータと裏蓋との距離が増大することにより裏蓋による耐磁性能の向上効果が薄れてしまうという問題点がある。
【０００７】
そこで本発明は上記問題点を解決するものであり、その課題は、時計の外観デザインや表示視認性を妨げない耐磁手段を採用することにより、耐磁性能と外観性能とを両立することのできる時計を提供することにある。
【０００８】
【課題を解決するための手段】
上記課題を解決するために本発明の時計は、時計ケースの内部の前面側に表示板が配置され、該表示板の背面側に計時手段が配置されてなる時計において、前記表示板の外周部の外側、若しくは、該外周部の外側位置の前面側に、耐磁リングが配置されていることを特徴とする。
【０００９】
この発明によれば、表示板の外周部の外側、若しくは、その位置のさらに前面側に耐磁リングが配置されていることにより、表示板と計時手段との間に配置する場合に較べて時計の厚さを低減することができるとともに、表示板の表示機能に抵触することもなくなり、さらに、表示板の見切りを外周側に配置することができるので、時計の表示領域の外観を良好にデザインすることができる。
【００１０】
本発明において、前記時計ケースは、前面側に配置された第１ケース部材と、該第１ケース部材に対して背面側に隣接する第２ケース部材とを有し、前記耐磁リングは前記第１ケース部材と前記第２ケース部材との間に配置されていることが好ましい。これによれば、耐磁リングを第１ケース部材と第２ケース部材との間に配置することができるため、各部材を複雑な形状に加工する必要がなくなるとともに、組立作業も容易になる。また、このような配置により表示領域の外観デザインを損なうことなく耐磁リングを収容できる。特に、第１ケース部材と第２ケース部材とにより耐磁リングを挟持して固定することによって、耐磁リングの位置決めを確実に行うことができる。
【００１１】
本発明において、前記耐磁リングの厚さと径方向の幅の比が０．６以上２．５以下であることが好ましい。これによって、耐磁リングの厚さ又は径方向の厚さの一方をいたずらに大きくしなくても耐磁リングの体積を比較的大きくすることができるため、時計内部に効率的に大きな体積の耐磁リングを収容配置することができる。したがって、時計の見切り外の大きさを抑制しつつ耐磁性能を高めることができる。特に、表示板（文字盤）上に指針を配置したアナログ時計の場合、表示板上に指針の回動空間が必要となるので、この回動空間の厚さ寸法を耐磁リングの厚さを収容するために用いることができる。この場合、厚さと径方向の幅の比が０．６を超えることによって、耐磁リングを効率的に表示板と同じ高さ位置及びそれよりも前面側に配置することができ、耐磁リングの体積を増大させて耐磁性能を高めることができる。また、上記比は、２．５以下であることにより、表示板の前面側に設けられた間隙に相当する厚さスペースを利用することにより、上記スペース効率の利点を維持できる。上記比が２．５を越えると、耐磁リングを収容しにくくなり、結果として耐磁リングの体積が減少して耐磁性能が低下する。
【００１２】
上記比は０．８以上２．０以下であることがさらに好ましい。特に、１．５以下であることがより望ましい。これによって、耐磁リングを上記位置に収容しても時計の外装デザインへの影響をほとんどなくすことができる。
【００１３】
本発明において、前記耐磁リングは、前記表示板の見切りの外側に配置されていることが好ましい。これによって、表示領域において表示板が視認される範囲の外観デザインに全く支障を与えないように構成することができる。
【００１４】
本発明において、前記耐磁リングは、前記表示板の見切りを構成していることが好ましい。耐磁リングが表示板の見切りを構成していることによって、耐磁リングの体積をより大きくすることが可能になるため、さらに耐磁性能を高めることができる。特に、後述するように耐磁リングが表示板の高さ位置から表示窓の内面の高さ位置までに亘って存在するように構成されていることによって、耐磁リングの体積を大幅に増大させることができるため、外観デザインに与える影響を最小限にとどめつつ、耐磁性能の大幅な向上を図ることが可能になる。
【００１５】
本発明において、前記計時手段の背面側に耐磁板が配置されていることが好ましい。上記の耐磁リングによっても高い耐磁性能をもたらすことができるが、計時手段の背面側に耐磁板が配置されていることによって、時計の耐磁性能をさらに向上させることができる。ここで、計時手段と、その背面側にある時計ケースの背面部分（裏蓋）との間に耐磁板を配置してもよく、或いは、計時手段の背面側にある時計ケースの背面部分（裏蓋）そのものを耐磁板として構成してもよい。この場合に、耐磁板は、耐磁リングの内径とほぼ同様の外径を有することが好ましい。或いは、耐磁リングの少なくとも一部と平面的に重なる外周領域を備える程度の外径を有することが好ましい。
【００１６】
上記の各発明は、特に、小型化・薄型化が要求される腕時計や懐中時計などの携帯時計の構造として用いることが好ましい。
【００１７】
【発明の実施の形態】
次に、添付図面を参照して本発明に係る時計の実施形態について詳細に説明する。図１は、本発明に係る第１実施形態の時計（腕時計）の一部縦断面図である。この時計１００においては、第１ケース部材（胴）１０１、第２ケース部材（ガラス縁）１０２、表示窓１０３、第３ケース部材（裏蓋）１０４によって時計ケースが構成されている。この時計ケースの内部には、計時手段（ムーブメント）１０５が収容されている。第１ケース部材１０１と第２ケース部材１０２はパッキン１０２ａによって密封されている。表示窓１０３は、第２ケース部材１０２に対してパッキン１０３ａを介して圧入固定されている。第３ケース部材１０４は、第１ケース部材１０１に対してパッキン１０４ａによって密封されている。
【００１８】
計時手段１０５の前面側には表示板（文字盤）１０６，１０７，１０８が配置されている。表示板のさらに前面側で表示窓１０３の内側には指針１０５ａ，１０５ｂが配置されている。
【００１９】
この実施形態においては、表示板１０６の外周部の外側に耐磁リング１１１が配置されている。この耐磁リング１１１は、高い透磁率を有する材料、たとえば、磁性焼鈍してなる純鉄などの磁性材料（特に軟磁性材料）で構成されている。この耐磁リング１１１は、第１ケース部材１０１と、第２ケース部材１０２との間に配置されている。より具体的には、第１ケース部材１０１と第２ケース部材１０２との間に挟持された状態で位置決め固定されている。
【００２０】
耐磁リング１１１の厚さをｄとし、径方向の幅をｗとすると、これらの比ｄ／ｗは約０．８（ｄ＝１．０ｍｍ、ｗ＝１．２５ｍｍ）となっている。比ｄ／ｗは、０．６以上で２．５以下であることが好ましい。このように厚さｄと幅ｗが比較的近い値になっていることにより、耐磁リング１１１の厚さと幅の一方をいたずらに大きく設定しなくても、耐磁リングの体積を大きくでき、耐磁性能を高めることができる。また、上記のように厚さｄと幅ｗが比較的近い値になっていることにより、表示板１０６の外周部の外側に配置しても、時計１００の外装デザインに大きく影響しないように収容配置することが可能になる。たとえば、本実施形態では、表示板１０６，１０７，１０８の表示範囲或いは見切り位置を変更することなく、耐磁リング１１１を収容することが可能であった。
【００２１】
耐磁リング１１１は、第１ケース部材１０１と第２ケース部材１０２との間に配置されているため、これらのケース部材に溝などを形成する必要がなくなり、段差部を形成すれば足りるため、加工が比較的簡単になる。また、耐磁リング１１１を含むケース構造の組立作業も容易になる。
【００２２】
また、耐磁リング１１１は、表示板１０６，１０７，１０８と平面的に重ならないように構成されている。この実施形態では、表示板の見切りは第２ケース部材１０２の内周部によって構成されている。そして、耐磁リング１１１は、見切りの外側に配置されている。したがって、耐磁リング１１１は第２ケース部材１０２によって覆い隠されるため、外部からは視認されない。
【００２３】
本実施形態においては、計時手段１０５の背面側に耐磁板１１２が配置されている。この耐磁板１１２は、上記耐磁リング１１１と同じ材料で形成できる。より具体的には、耐磁板１１２は、計時手段１０５と第３ケース部材１０４との間に配置されている。たとえば、耐磁板１１２は第３ケース部材１０４の内面上に接着固定される。耐磁板１１２は、耐磁リング１１１より薄く構成されていることが時計の厚さを低減する上で好ましい。たとえば、耐磁板の厚さは０．２〜０．８ｍｍ程度、特に約０．４ｍｍ程度であることが望ましい。
【００２４】
本実施形態においては、耐磁リング１１１のみを装着するだけで時計１００の耐磁性能が４２４０Ａ／ｍ（５３Ｇ）となった。また、耐磁板１１２のみを装着した場合には、時計１００の耐磁性能は３９２０Ａ／ｍ（４９Ｇ）となった。そして、上記耐磁リング１１１及び耐磁板１１２の双方を装着した場合には、時計１００の耐磁性能は６０８０Ａ／ｍ（７６Ｇ）となった。
【００２５】
図２は、上記実施形態の変形例である時計２００の構造を示す一部縦断面図である。この時計２００においては、上記実施形態と同様の、第１ケース部材２０１、第２ケース部材２０２、表示窓２０３、第３ケース部材２０４、計時手段２０５、指針２０５ａ，２０５ｂ、表示板２０６，２０７，２０８、及び、耐磁板２１２を有するので、これらの説明は省略する。
【００２６】
この時計２００においては、時計ケースの内側に、表示板２０６，２０７，２０８の外周部の外側位置から前面側に亘って配置された耐磁リング２１１を備えている。この耐磁リング２１１は、上記耐磁リング１１１と同一の材質で構成できる。この耐磁リング２１１は、厚さと幅の比ｄ／ｗが約２．２（ｄ＝２．０ｍｍ、ｗ＝０．９〜１．０ｍｍ）となっている。ここで、耐磁リング２１１の幅は高さ方向に変化しているが、この場合には、高さ方向にわたって平均値をとって上記幅ｗとしてある。この耐磁リング２１１は、上記のものとは異なり、表示板２０６〜２０８の見切りを構成するようになっている。すなわち、耐磁リング２１１は外見上は表示板の周囲に配置された見返し部材としての機能を有する。
【００２７】
この実施形態では、表示板（文字盤）２０６〜２０８の表面と、表示窓２０３の内面との間の間隙（図示例のようにアナログ時計であれば指針２０５ａ，２０５ｂを収容する隙間）が存在することを利用して耐磁リング２１１を収容している。この耐磁リング２１１は、表示板２０６の高さ位置から表示窓２０３の内面の高さ位置までに亘って配置されたものとなっている。すなわち、耐磁リング２１１は、上記の間隙とほぼ同等の厚さを有する形状となっていて、先に説明した実施形態の耐磁リング１１１のほぼ２倍の体積を有する。このため、時計２００の耐磁性能は図１に示すものよりも大幅に向上している。したがって、この構成例の場合は、耐磁板２１２を設けなくてもかなりの耐磁性能を発揮することができる。
【００２８】
尚、本発明の時計は、上述の図示例にのみ限定されるものではなく、本発明の要旨を逸脱しない範囲内において種々変更を加え得ることは勿論である。たとえば、上記の実施形態ではアナログ時計を図示してあるが、デジタル時計などのように、液晶表示体などの電気光学的表示手段を備えた時計にも同様に適用可能である。
【図面の簡単な説明】
【図１】本発明に係る実施形態の時計１００の概略一部縦断面図。
【図２】変形例の時計２００の概略一部縦断面図。
【符号の説明】
１００，２００…時計、１０１，２０１…第１ケース部材（胴）、２０２…第２ケース部材（ガラス縁）、１０３，２０３…表示窓（ガラス、風防）、１０４，２０４…第３ケース部材（裏蓋）、１０５，２０５…計時手段（ムーブメント）、１０６〜１０８，２０６〜２０８…表示板（文字盤）、１１１，２１１…耐磁リング、１１２，２１２…耐磁板
【図１】
2004286661.tif 000003
【図２】
2004286661.tif 000004